(57)【要約】【課題】  ノンレール門扉の縦格子による仕切体のデザインを設置場所の個性に応じて変化することができるようにする。【解決手段】  ノンレール門扉Ａの引戸２を繰出し開閉する支柱１の上下に配置した下位のガイドローラー１４によって引戸２の下框２２に設置したガイドレール２２２を強固に挟持して案内支持することによって，支柱１の上位のガイドローラー１２による上框２１の案内支持を上框２１の片面側に設置したガイドレール２１１によって振れ止め的に行なうようにして，上框２１の他面と，これと同一面となるように下框２２に形成した仕切体保持部２２６の側面を後付設置面２１２，２２６とすることによって該後付設置面２１２，２２６に追加仕切体４を架設固定して，仕切体３の基本デザインを追加仕切体４によって変化できるようにする。【選択図】        図１
2005048542.tif 000002
【特許請求の範囲】
【請求項１】
仕切体を介して上下に離隔する引戸の上下框に配置した幅方向全長のガイドレールを，開口部幅方向片側の引戸支持体に配置した上下位のガイドローラーによって案内支持することによって，引戸を引戸支持体から開口部に向けて片持ち繰出し状にスライド開閉自在としたノンレール門扉において，上記引戸支持体の上位に配置したガイドローラーと引戸上框に配置したガイドレールとを引戸支持体設置側の引戸内外一方に配置して引戸上框の案内支持を上框内外一方面において行なうことによって上框内外他方の面及びこれと上下方向に同一面をなす下框上端に起立した仕切体保持部の面とを上記仕切体に重複配置する追加仕切体の後付設置面としてなることを特徴とするノンレール門扉。
【請求項２】
上記上框内外他方面と下框上端の仕切体保持部の後付設置面に追加仕切体を後付的に架設固定することによって引戸の仕切体に追加仕切体を重複配置してなることを特徴とするノンレール門扉。
【発明の詳細な説明】
【技術分野】
【０００１】
本発明は屋外の開口部に設置する門扉に関し，特に開口部床面をフラットとするノンレール門扉に関する。
【背景技術】
【０００２】
この種ノンレール門扉は，仕切体を介して上下に離隔する引戸の上下框に配置した幅方向全長のガイドレールを，開口部幅方向片側の引戸支持体に配置した上下位のガイドローラーによって案内支持することによって，引戸を引戸支持体から開口部に向けて片持ち繰出し状にスライド開閉自在としたものとされ，一般に引戸支持体はスライドボックス乃至支柱とされ，該引戸支持体の上下位に内外に対をなすガイドローラーを配置する一方，上框の引戸内外双方の外面，下框の引戸内外双方の内面にそれぞれ同じく内外に対をなすガイドレールを配置し，上位のガイドローラー対によって上框のガイドレール対を上框の引戸内外双方の外面において案内支持し，下位のガイドローラー対によって下框のガイドレール対を下框の引戸内外双方の内面において案内支持して，引戸支持体が引戸を水平にスライド開閉し得るようにその上框と下框を片持ちするようにしたものとされる。
【０００３】
【特許文献１】特開２００２−９７８８０号公開特許公報
【特許文献２】特開２０００−３４８７７号公開特許公報
【発明の開示】
【発明が解決しようとする課題】
【０００４】
この場合幅方向に長尺の引戸であっても安定したスライド開閉を行うものとなし得るが，一般にこの種ノンレール門扉の引戸における上記仕切体は上下框間に多数の縦桟を所定ピッチで配置した縦格子のものとされており，幅広の開口を有する工場，公共施設等の出入口に設置されることが多いとしても，その外観は同一単調の縦格子に画一化される傾向を招いている。このとき引戸の仕切体を多種備えて門扉の外観を変化することはもとより可能ではあるが，この場合機種の増加を伴うことによってコストアップの可能性が生じて好ましくない。
【０００５】
本発明はかかる事情に鑑みてなされたもので，その解決課題とするところは，引戸を基本デザインの仕切体を持つものとし，従前の如くに基本デザインのままの設置使用ができるとともに，必要に応じて可及的簡易にデザインの変化をなし得るようにして，設置場所に応じてデザインの個性を発揮し得るようにしたノンレール引戸を提供するにある。
【課題を解決するための手段】
【０００６】
上記課題に添って本発明は，例えば縦格子の基本デザインに，横格子の追加仕切体を重ねると桝目格子の外観を得られる如くに，基本デザインの仕切体に対して追加仕切体を重複配置することによって，基本デザインのままの設置使用と追加仕切体の後付設置によって変化デザインとした設置使用とを可能とする一方，ノンレール引戸の上下框，特に上框は，引戸支持体による引戸内外双方の案内支持のために内外双方の外面にガイドレールを備えるとともに上位のガイドローラー間を障害なく通過する必要があるも，引戸支持体の案内支持を引戸内外一方とすれば上框の他方の面が開放されること，下框は同じく内外双方のガイドレールを備えるが，それは引戸内外双方の内面であることからこれを避けた位置に仕切体の保持面を配置すれば，上記上框と下框の保持面が上下方向に同一面をなすようにし得ることに着目し，これら上框と下框の保持面とを上記追加仕切体の後付設置面として上記追加仕切体の重複配置を可能とし，これによって選択的な基本デザインの引戸設置と追加仕切体を重複配置することによる単一乃至複数の変化デザインの引戸設置とを簡易且つ確実になし得るようにしたものである。
【０００７】
即ち請求項１に記載の発明は，これを，仕切体を介して上下に離隔する引戸の上下框に配置した幅方向全長のガイドレールを，開口部幅方向片側の引戸支持体に配置した上下位のガイドローラーによって案内支持することによって，引戸を引戸支持体から開口部に向けて片持ち繰出し状にスライド開閉自在としたノンレール門扉において，上記引戸支持体の上位に配置したガイドローラーと引戸上框に配置したガイドレールとを引戸支持体設置側の引戸内外一方に配置して引戸上框の案内支持を上框内外一方面において行なうことによって上框内外他方の面及びこれと上下方向に同一面をなす下框上端に起立した仕切体保持部の面とを上記仕切体に重複配置する追加仕切体の後付設置面としてなることを特徴とするノンレール門扉としたものである。
【０００８】
請求項２に記載の発明は，その追加仕切体を後付設置することによって基本デザインを変化した形態のものとするように，これを，上記上框内外他方面と下框上端の仕切体保持部の後付設置面に追加仕切体を後付的に架設固定することによって引戸の仕切体に追加仕切体を重複配置してなることを特徴とするノンレール門扉としたものである。
【０００９】
本発明はこれらをそれぞれ発明の要旨として上記課題解決の手段としたものである。
【発明の効果】
【００１０】
本発明は以上のとおりに構成したから，請求項１に記載の発明は，引戸を基本デザインの仕切体を持つものとし，基本デザインのままの設置使用ができるとともに，必要に応じて可及的簡易にデザインの変化をなし得るようにして，設置場所に応じてデザインの個性を発揮し得るようにしたノンレール引戸を提供することができる。
【００１１】
請求項２に記載の発明は，追加仕切体を後付設置することによって基本デザインを変化したノンレール門扉を提供することができる。
【発明を実施するための最良の形態】
【００１２】
以下図面の例に従って本発明を更に具体的に説明すれば，Ａはノンレール門扉，１はその引戸支持体，２は引戸であり，ノンレール門扉Ａは，例えば多数の縦桟を所定ピッチで平行に配置することによって縦格子とした仕切体３を介して上下に離隔する引戸２の上下框２１，２２に配置した幅方向全長のガイドレール２１１，２２２を，開口部幅方向片側の引戸支持体１に配置した上下位のガイドローラー１２，１４によって案内支持することによって，引戸２を引戸支持体１から開口部に向けて片持ち繰出し状にスライド開閉自在としたものとしてある。
【００１３】
このときノンレール門扉Ａは，その上記引戸支持体１の上位に配置したガイドローラー１２と引戸  上框２１に配置したガイドレール２１１とを引戸支持体１設置側の引戸２内外一方に配置して引戸２上框２１の案内支持を上框２１内外一方面において行なうことによって上框２１内外他方の面及びこれと上下方向に同一面をなす下框２１上端に起立した仕切体保持部２２５の面とを上記仕切体３に重複配置する追加仕切体４の後付設置面２１２，２２６としてあり，これによって上記上框２１内外他方面と下框２２上端の仕切体保持部２２５の後付設置面２２６に追加仕切体４を後付的に架設固定することによって引戸２の仕切体３に追加仕切体４を重複配置したノンレール門扉Ａを構成し得るようにしてある。
【００１４】
本例にあって上記引戸支持体１は，これを開口部の幅方向片側に，例えばコンクリート壁乃至コンクリート支柱の背面に位置するように起立設置した支柱としてあり，該支柱による引戸支持体１の上端に，ブラケット１１を介して引戸幅方向に一対の上位のガイドローラー１２を上向きに軸支固定して配置してある。
【００１５】
また上記支柱による引戸支持体１の下端にはその張出底板１３上に引戸幅方向に一対の下位ガイドローラー１４を配置してあり，このとき本例の下位ガイドローラー１４は，引戸２の下框２２をその上下方向及び内外横方向に強固に挟持して，該下位ガイドローラー１４のみで引戸２を片持ち状に案内支持可能としてあり，これによって上記上位のガイドローラー１２を引戸２の振れ止め状の案内支持を行なうものとして，上位のガイドローラー１２による案内支持の機能を軽減したものとしてある。
【００１６】
本例の下位ガイドローラー１４は，下支え用ローラー１４３，上押え用ローラー１４４及び内外押え用ローラー１４５の３種を用いて，これらを引戸２幅方向に一対配置するとともに上押え用ローラー１４３及び内外押え用ローラー１４５はこれらをそれぞれ引戸２内外方向に一対配置したものとし，本例にあって該下位のガイドローラー１４は上記３種のローラー群よりなるローラーユニットとして，これを上記張出基板１３に固定することによって引戸幅方向に一対配置したものとしてある。このときローラーユニットはベースプレート１４１に引戸幅方向に広狭異幅にして異高の起立片１４２を対向配置し，その一方の広幅低い側の起立片１４２間に長寸の下支え用ガイドローラー１４３を，その上方に一対水平の内外押え用ローラー１４４を，他方の狭幅高い側の起立片１４２の上方に上押え用ローラー１４５をそれぞれ軸支固定して配置して形成し，該ローラーユニットを引戸幅方向に逆配置することによって上記下支えローラー１４３と内外押え用ローラー１４５が幅方向外側に，上押え用ローラー１４４が幅方向内側にそれぞれ幅方向近接位置に配置されるようにしてある。
【００１７】
一方引戸２の上框２１及び下框２２はアルミ押出材によって形成してあり，上框２１は中空矩形の断面形状にしてその垂直の内外一方の側面にＬ字状のガイドレール２１１を突設具備したものとし，該ガイドレール２１１に上記上位のガイドローラー１２を受入れるようにこれらを係合して上位のガイドローラー１２が上框２１の上記側面と該ガイドレール２１１の内面との間で水平方向に転動して，ガイドローラー１２によってガイドレール２１１を案内支持して，主に引戸２上位の振れ止めを行なうようにしてあり，これによって，該ガイドローラー１２と上框２１のガイドレール２１１とを引戸支持体１設置側の引戸２内外一方に配置し該上框２１の案内支持を上框２１内外一方面において行なうとともに内外他方面を案内支持から解放して垂直なフラット面としてある。
【００１８】
また下框２２は，框基部２２１と，その下に配置したガイドレール２２２と，框基部２２１上に配置した上記上框２１と内外方向に同幅の仕切体保持部２２５と，上記ガイドレール２２２を覆うように配置したスカート２２７を具備したものとしてあり，このとき框基部２２１は中間の補強片を介して上下に中空部を配置した厚幅の高さを有することによって剛性を備えたものとし，ガイドレール２２２は該框基部２２１の内外方向中央位置から垂下部２２３とその下端から内外方向に突出し上面に内外方向一対のレール部を形成し下面を水平面とした水平突出部２２４とを備えて逆Ｔ字状に配置するとともに上記垂下部２２３を厚幅中空とし，水平突出部２２４を厚肉のものとして同じく剛性を備えたものとし，仕切体保持部２２５は矩形乃至方形断面の中空にしてその内外側面を垂直面としたものとし，スカート２２７は框基部２２１から内外方向に傾斜面乃至曲面をなすように下方に突出乃至膨出して下端を開放したものとしてあり，このとき本例にあって，上記剛性を備えた框基部２２１とガイドレール２２２を一体成形することによって下框２２を高度な剛性を有するものとする一方，仕切体保持部２２５を框基部２２１上に載置固定し，またスカート２２７を内外に２つの部材として框基部２２１の内外側面にそれぞれ添設固定することによって該框基部２２１からガイドレール２２２位置までを一連に覆うものとしてある。
【００１９】
下框２２の上記逆Ｔ字状のガイドレール２２２は，その水平突出部２２４の水平面をなす下面を上記下位のガイドローラー１４の下支え用ローラー１４３上に載置し，内外方向一対のレール部に引戸２内外方向一対の上押え用ローラー１４４を載置し，また水平突出部２２４の内外方向両側の垂直端面に内外押え用ローラー１４５を当接するように配置してこれらを係合してあり，これによって各ローラーユニットの下支え用ローラー１４３と上押え用ローラー１４４が幅方向近接位置でガイドレール２１１を上下方向に強固に挟持するとともに内外押え用ローラー１４５が更にガイドレール２１１を内外横方向に強固に挟持し，上記下支えローラー１４３及び上押え用ローラー１４４が上下方向に転動し，内外押え用ローラー１４５が水平方向に転動することによって下框２２の安定且つスムーズな案内支持を行なうようにしてある。
【００２０】
従って本例にあっては上下位のガイドローラー１２，１４による上框２１及び下框２２のガイドレール２１１，２２２の案内支持，特に下位ガイドローラー１４による下框２１のガイドレール２２２の案内支持によって引戸２を引戸支持体１から開口部に向けて片持ち繰出し状にスライド開閉自在とし，これによって例えば引戸２を開閉方向に手動乃至電動によって押圧することによって開口部にレールがない状態でその開閉が可能となるノンレールのものとして構成してある。
【００２１】
以上の構成によって引戸２の，特に上框２１の案内支持はその内外一方面とし他方面を案内支持から解放することができ，このとき下框２２上端に配置した仕切体保持部２２５が上框２１と同幅であるため上框２１のガイドレール非設置側の内外他方面と仕切体保持部２２５の起立した面が同一面をなすことにより，これらを上記追加仕切体４の後付設置面２１２，２２６とし，該上下の後付設置面２１２，２２６に追加仕切体４を後付的に架設固定することが可能となるようにしてある。
【００２２】
追加仕切体４は，例えば上下乃至上下左右の枠組みを施してその面内を横格子，斜め格子，波格子，社章乃至市章等の適宜のデザインのものとしたものとし，その上下枠を上記後付設置面に対接し，例えばネジ等適宜の固定手段によって固定することによってその架設固定を行なうようにすればよい。
【００２３】
これによって上記縦格子とした仕切体３を有する引戸２を基本デザインとして，該基本デザインの門扉Ａをそのまま設置使用することに加えて，これに追加仕切体４を重複配置して上記基本デザインに対して変化デザインの門扉Ａを設置使用することが可能となり，このとき追加仕切体４のデザインを複数用意することによりその選択的な使用ができるようにすれば，基本デザインに対して複数の変化デザインを得られて，個性に合わせたデザインの多様化を図ることが可能となる。
【００２４】
図示した例は以上のとおりとしたが，本発明の実施に当って引戸，その仕切体，上下框，そのガイドレール，引戸支持体，その上下位のガイドローラー，仕切体保持部，追加仕切体等の各具体的形状，構造，材質，これらの関係，これらに対する付加等は，上記発明の要旨に反しない限り様々の形態のものとすることができる。
【図面の簡単な説明】
【００２５】
【図１】ノンレール門扉の要部を示す縦断面図である。
【図２】支柱上部の引戸を外した状態の上位ガイドローラーの平面図である。
【図３】下框部分の縦断面図である。
【図４】下位ガイドローラーの平面図である。
【符号の説明】
【００２６】
Ａ  ノンレール引戸
１  引戸支持体
２  引戸
３  仕切体
４  追加仕切体
１２  上位のガイドローラー
１４  下位のガイドローラー
２１  上框
２２  下框
２１１  ガイドレール
２２２  ガイドレール
２２６  後付設置面
【図１】
2005048542.tif 000003
【図２】
2005048542.tif 000004
【図３】
2005048542.tif 000005
【図４】
2005048542.tif 000006